(57)【要約】【課題】太陽電池モジュールを取り外さなくても、屋根ふき材の不陸の調整を容易に行うことを可能とする。【解決手段】水勾配を有する屋根ふき材４の上方に、該屋根ふき材４の上面から離間して配置された太陽電池モジュール１を、所定の間隙Ｄを介して長手方向に複数並列に設置してなる屋根パネル１０を設置することにより屋根構造を構築する。屋根ふき材４の不陸を調整する不陸調整金具５を、本体金具５１と補助金具５２とで構成する。本体金具５１は、一対のフランジ５３１ａ，５３１ｂに太陽電池モジュール１の一端部１７を挿入し、該太陽電池モジュール１に固定される固定部５３と、太陽電池モジュール１と屋根ふき材４の間に配置され、屋根ふき材４を支持する支持部５４１と、屋根ふき材４の表面に当接させる当接部５４２とを有し、屋根ふき材４を押し下げる押さえ部５４とを備える。【選択図】図１
2018025013.tif 000002
【特許請求の範囲】
【請求項１】
水勾配を有する屋根ふき材の上方に、該屋根ふき材の上面から離間して配置された太陽電池モジュールを、所定の間隙を介して長手方向に複数並列に設置してなる屋根の前記屋根ふき材の不陸調整に用いる不陸調整金具であって、
前記太陽電池モジュールの一端部に固定される固定部と、
前記太陽電池モジュールと前記屋根ふき材の間に配置され、前記屋根ふき材を押し下げる押さえ部と、を有する本体金具を備え、
前記固定部は、前記太陽電池モジュールの前記一端部の上面及び下面に沿うように延在し、前記一端部が挿入される一対のフランジを有し、
前記押さえ部は、前記固定部から下方に垂下し前記屋根ふき材を支持する支持部と、該支持部の下端から前記屋根ふき材の表面に沿うように延在し、該表面に当接させる当接部と、を有することを特徴とする不陸調整金具。
【請求項２】
一対の前記フランジの延在方向と、前記当接部の延在方向とが反対であることを特徴とする請求項１に記載の不陸調整金具。
【請求項３】
前記本体金具は、前記押さえ部の垂下長さを調整する長さ調整部を有していることを特徴とする請求項１または２に記載の不陸調整金具。
【請求項４】
前記本体金具は、前記太陽電池モジュールの配線を収容する配線収容部を有していることを特徴とする請求項１乃至３のいずれか一項に記載の不陸調整金具。
【請求項５】
前記本体金具を取り付けた前記太陽電池モジュールに隣接し、その一端部と対向する前記太陽電池モジュールの他端部に固定される補助金具を有し、
前記本体金具は、一対の前記フランジの延在方向とは反対方向であって前記補助金具の方向に突出する突出片を有し、
前記補助金具は、前記本体金具の方向に突出し、前記突出片と係合する第１係合片と、
前記他端部側の太陽電池モジュールの下面に沿うように延在する第２係合片と、を有していることを特徴とする請求項１乃至４のいずれか一項に記載の不陸調整金具。
【請求項６】
前記突出片と前記第１係合片とを接続固定する固定部材を有していることを特徴とする請求項５に記載の不陸調整金具。
【請求項７】
水勾配を有する屋根ふき材の上方に、該屋根ふき材の上面から離間して配置された太陽電池モジュールを、所定の間隙を介して長手方向に複数並列に設置してなる屋根構造であって、
請求項１乃至６のいずれか一項に記載の不陸調整金具が、前記太陽電池モジュールの端部に取り付けられていることを特徴とする屋根構造。
【発明の詳細な説明】
【技術分野】
【０００１】
本発明は、屋根ふき材などの不陸調整金具、及びこの不陸調整金具を取り付ける屋根構造に関する。
【背景技術】
【０００２】
従来、建物の屋根に太陽電池モジュールを設置するために、屋根と太陽電池モジュールとを一体化させた屋根構造が開示されている（例えば、特許文献１−３参照）。一方、雨水の排水性などを向上させる目的で、一対の屋根フレームに屋根ふき材を固定し、この屋根ふき材の上方を跨ぐように屋根フレームに太陽電池モジュールを固定した屋根パネルを設置することで構築される屋根構造が開示されている（例えば、特許文献４参照）。
【０００３】
このような屋根構造では、屋根ふき材の上面が太陽電池モジュールの下面から離隔して配置されているため、雨水などが硫化する間隙が形成される。また、屋根ふき材の上面には、屋根フレームの長手方向に向けて水勾配が形成されている。このため、屋根が陸屋根のように平坦であっても、高い排水性能を得ることができる。
【先行技術文献】
【特許文献】
【０００４】
【特許文献１】特開２００４−７６４４４号公報
【特許文献２】特開２００４−２７７３３号公報
【特許文献３】特開２００５−２４０２９３号公報
【特許文献４】特開２０１５−２８２８３号公報
【発明の概要】
【発明が解決しようとする課題】
【０００５】
しかしながら、経時変化などによって屋根ふき材の表面に浮きや波立ちなどの不陸が発生した場合、排水性能に影響してしまうおそれがある。このような屋根ふき材の不陸を調整するためには、従来の屋根構造では太陽電池モジュールを取り外す必要があり、作業が容易ではなかった。
【０００６】
そこで、本発明は、太陽電池モジュールを取り外さなくても、屋根ふき材の不陸の調整を容易に行うことができる不陸調整金具及び屋根構造を提供することを目的としている。
【課題を解決するための手段】
【０００７】
前記目的を達成するために、本発明の不陸調整用金具は、水勾配を有する屋根ふき材の上方に、該屋根ふき材の上面から離間して配置された太陽電池モジュールを、所定の間隙を介して長手方向に複数並列に設置してなる屋根の前記屋根ふき材の不陸調整に用いる不陸調整金具であって、前記太陽電池モジュールの一端部に固定される固定部と、前記太陽電池モジュールと前記屋根ふき材の間に配置され、前記屋根ふき材を押し下げる押さえ部と、を有する本体金具を備え、前記固定部は、前記太陽電池モジュールの前記一端部の上面及び下面に沿うように延在し、前記一端部が挿入される一対のフランジを有し、前記押さえ部は、前記固定部から下方に垂下し前記屋根ふき材を支持する支持部と、該支持部の下端から前記屋根ふき材の表面に沿うように延在し、該表面に当接させる当接部と、を有することを特徴とする。
【０００８】
また、本発明の屋根構造は、水勾配を有する屋根ふき材の上方に、該屋根ふき材の上面から離間して配置された太陽電池モジュールを、所定の間隙を介して長手方向に複数並列に設置してなる屋根構造であって、上述のような不陸調整金具が、前記太陽電池モジュールの端部に取り付けられていることを特徴とする。
【発明の効果】
【０００９】
本発明によれば、経時によって屋根ふき材に不陸を生じた場合、太陽電池モジュールと屋根ふき材の間に押さえ部を配置して押さえ部で屋根ふき材の不陸部分を押し下げながら、固定部を太陽電池モジュールの一端部に固定する。このように、太陽電池モジュールに不陸調整金具を取り付けるだけで、太陽電池モジュールを取り外さなくても、屋根ふき材の不陸の調整を容易に行うことができる。その結果、屋根ふき材の水勾配による優れた排水性を保つことができる。
【００１０】
また、太陽電池モジュールに固定部が固定されていることで、その反力によって押さえ部が、より強く、より安定して屋根ふき材を押し下げることができる。また、屋根ふき材に沿って延在した当接部が面状に屋根ふき材の表面に当接するため、押圧力が一点に集中することなく、面で分散させることができ、屋根ふき材の損傷なども抑制することができる。
【００１１】
また、このような不陸調整金具を適用した屋根構造では、太陽電池モジュールを取り外さなくても、屋根ふき材の不陸の調整を容易に行うことができる。そのため、屋根構造の優れた排水性などを保つことができる。
【図面の簡単な説明】
【００１２】
【図１】本発明の実施の形態の不陸調整金具を適用した屋根パネルの断面図である。
【図２】屋根パネルの分解斜視図である。
【図３】複数の太陽電池モジュールが取り付けられた屋根パネルの構成を説明するための斜視図である。
【図４】本発明の実施の形態の不陸調整金具の構成を説明するための図であり、（ａ）は本体金具の斜視図を示し、（ｂ）は補助金具の斜視図を示す。
【図５】本発明の実施の形態の不陸調整金具の構成を説明するための図であり、（ａ）は本体金具の正面図を示し、（ｂ）は本体金具の側面図を示し、（ｃ）は補助金具の正面図を示し、（ｄ）は補助金具の側面図を示す。
【図６】本発明の実施の形態の不陸調整金具による不陸の調整工程を説明するための図であって、隣接する太陽電池モジュールの間隙に本体金具を挿入している状態を示す斜視図である。
【図７】図６のＸ−Ｘ矢視方向で見た屋根パネルの断面図である。
【図８】本発明の実施の形態の不陸調整金具による不陸の調整工程を説明するための図であって、隣接する太陽電池モジュールの間隙に補助金具を挿入しようとしている状態を示す斜視図である。
【図９】図８のＹ−Ｙ矢視方向で見た屋根パネルの断面図である。
【図１０】本発明の実施の形態の不陸調整金具による不陸の調整工程を説明するための図であって、太陽電池モジュールにそれぞれ取り付けた本体金具と補助金具とを固定部材で接続固定しようとしている状態を示す斜視図である。
【図１１】図１０のＺ−Ｚ矢視方向で見た屋根パネルの断面図である。
【図１２】本発明の実施の形態の不陸調整金具の異なる使用例を説明するための図であり、長さ調整部により、押さえ部の長さ（高さ）を調整した状態の屋根パネルの断面図である。
【発明を実施するための形態】
【００１３】
以下、本発明の実施の形態について図面を参照して説明する。まず、図１乃至図３を用いて、本発明の実施の形態の不陸調整金具５を適用する屋根パネル１０及び屋根構造について説明する。図１は、本発明の実施の形態の不陸調整金具５を適用した屋根パネル１０の断面図である。図１では、説明を容易とするため、不陸調整金具５は切断せずに端面図で示している。他の断面図でも同様である。図２は屋根パネル１０の分解斜視図であり、図３は複数の太陽電池モジュールが取り付けられた屋根パネル１０の構成を説明するための斜視図である。
【００１４】
図２、図３に示すように、屋根パネル１０は、側縁を形成するために略平行に配置される一対の屋根フレーム２，２と、屋根フレーム２，２間を塞ぐように配置される屋根ふき材４と、該屋根ふき材４の上面から離間して屋根ふき材４の上方を跨ぐように屋根フレーム２，２に固定される太陽電池モジュール（遮蔽板状部材）１とを主に備えている。
【００１５】
太陽電池モジュール１は、図１に示すように、平面視長方形の板状の太陽電池パネル１１と、その周縁部に取り付けられるパネルフレーム１２と、太陽電池パネル１１からの電力を取り出すための端子ボックス１３と、端子ボックス１３に接続された配線１４とによって主に構成される。
【００１６】
一対の屋根フレーム２，２の内側には、一対の支持材３１，３１と、下地板としての野地板３２とを有するガイド部３が設けられている。
【００１７】
支持材３１は、木桟などからなり、屋根ふき材４の上面に形成される勾配（水勾配）に合わせて、屋根フレーム２，２の内側に取り付けられている。この一対の支持材３１，３１に、野地板３２の両側縁を載置することで、野地板３２には支持材３１，３１の勾配と同じ勾配の上面が形成されることになる。野地板３２の上面は、ポリエチレンルーフィングなどの防水シートで被覆されている。
【００１８】
そして、この防水シートの上から、水勾配が形成された屋根ふき材４を設置し、ドリルねじなどの固定部材によって屋根フレーム２に取り付ける。この屋根ふき材４は、例えば防水性能及び耐食性能に優れた溶融アルミニウムめっき鋼板などによって形成されている。
【００１９】
このようにして防水性能が高い屋根ふき材４によって塞がれた屋根フレーム２，２間には、太陽電池モジュール１が配置される。太陽電池モジュール１の両側縁には、図２、図３に示すように、屋根フレーム２，２に固定させるための受け金具１５ａ，１５ｂが取り付けられている。
【００２０】
この受け金具１５ａ，１５ｂは、屋根フレーム２に対して太陽電池モジュール１を傾斜させて取り付ける場合は長さ（高さ）を変える。ここでは、水下側の受け金具１５ａの方を短くし、水上側の受け金具１５ｂの方を長くしている。
【００２１】
太陽電池モジュール１は、図３に示すように、受け金具１５ａ，１５ｂに通したドリルねじ１６などの固定部材を屋根フレーム２にねじ込むことによって固定される。このようにして取り付けられた太陽電池モジュール１の下面は、図１、図３に示すように屋根ふき材４の上面からは離隔している。すなわち、屋根ふき材４の上面と太陽電池モジュール１の下面との間には、雨水などを流下させることが可能となる間隙Ｓが存在する。
【００２２】
また、図１、図３に示すように、太陽電池モジュール１は、屋根フレーム２の長手方向に、複数並列に配置され、配線１４によって電気的に接続されている。そして、各太陽電池モジュール１を、屋根フレーム２に対して傾斜させて取り付けているため、水下側の太陽電池モジュール１の水上側の一端部１７が、水上側の太陽電池モジュール１の水下側の他端部１８よりも高くなっている。
【００２３】
以上のようにして製造された複数の屋根パネル１０，・・・を並べて設置することで、屋根構造が構築される。このような屋根構造において、温度変化や湿度変化などの環境変化により、時間の経過とともに屋根ふき材４が収縮、膨張などして、その表面に浮きや波立ちなどの不陸が発生した場合、屋根ふき材４の水勾配による排水性に影響してしまうことがある。そこで、優れた排水性を保つべく、本実施の形態の不陸調整金具５によって、屋根ふき材４の不陸を調整するものである。
【００２４】
次に、図４、図５を参照しながら、本実施の形態の不陸調整金具５の構成を説明する。図４（ａ）は、不陸調整金具５を構成する本体金具５１の斜視図であり、図４（ｂ）は補助金具５２の斜視図である。図４（ａ）、（ｂ）では、後述する接着部材としての両面テープを省略して表示している。また、図５（ａ）、図５（ｂ）は本体金具５１の正面図と側面図を示し、図５（ｃ）、図５（ｄ）は補助金具５２の正面図と側面図を示す。
【００２５】
この図４、図５に示すように、本実施の形態の不陸調整金具５は、本体金具５１と補助金具５２から主に構成される。本体金具５１は、隣接する太陽電池モジュール１の水下側の太陽電池モジュール１の一端部１７に取り付けられる。補助金具５２は、水上側の太陽電池モジュール１の他端部１８に取り付けられる。
【００２６】
本体金具５１は、太陽電池モジュール１の一端部１７に固定される固定部５３と、太陽電池モジュール１と屋根ふき材４の間に配置され、屋根ふき材４を押し下げる押さえ部５４とを有している。
【００２７】
この固定部５３は、太陽電池モジュール１の一端部１７の上面及び下面に沿うように、水下方向に略平行に延在する一対のフランジ５３１ａ，５３１ｂと、この一対のフランジ５３１ａ，５３１ｂを連結する平板状の連結部５３２とを有している。一対のフランジ５３１ａ，５３１ｂは、連結部５３２から略垂直に突出し、固定部５３は側面視コ字形を呈している。一対のフランジ５３１ａ，５３１ｂの間に、太陽電池モジュール１の一端部１７を挿入すると、一対のフランジ５３１ａ，５３１ｂがパネルフレーム１２の上面及び下面に当接し、連結部５３２がパネルフレーム１２の側面に当接する。
【００２８】
また、一対のフランジ５３１ａ，５３１ｂと連結部５３２のパネルフレーム１２との当接側の表面には、パネルフレーム１２に接着するための接着部５３３が設けられている。この接着部５３３の表面は離型紙５３４で被覆されている。この接着部５３３と離型紙５３４とからなる接着部材は、特に限定されないが、例えば、固定部５３の表面に両面テープを張り付けて形成することもできるし、接着剤を塗布して離型紙５３４で被覆して形成することもできる。
【００２９】
押さえ部５４は、固定部５３の下方のフランジ５３１ｂの先端から屋根ふき材４に向かう下方に垂下する平板状の支持部５４１と、該支持部５４１の下端から屋根ふき材４の表面に沿うように延在し、屋根ふき材４の表面に当接させる平板状の当接部５４２とを有している。
【００３０】
支持部５４１は、太陽電池モジュール１の下面と屋根ふき材４の上面との間に配置され、屋根フレーム２に固定された太陽電池モジュール１を支えとして、当接部５４２を屋根ふき材４に押し付ける。
【００３１】
また、支持部５４１の一側部には、太陽電池モジュール１の配線１４を収容するための配線収容部としての配線収容溝５４３が円弧状に凹設されている。また、配線収容溝５４３に隣接して、配線１４を固定する固定バンドを挿入して取り付ける矩形状の固定バンド挿入穴５４４が設けられている。
【００３２】
当接部５４２は、一対のフランジ５３１ａ，５３１ｂの延在方向とは反対方向（水上方向）に延在している。当接部５４２の長手方向の長さは、隣接する太陽電池モジュール１の間隙Ｄよりも短くすることで、押さえ部５４の間隙Ｄからの挿入を容易としている。また、当接部５４２には、一対のねじ穴５４５，５４５が設けられている。このねじ穴５４５，５４５にねじ５４６，５４６を所望のねじ込み量でねじ込み可能となっている。この一対のねじ穴５４５，５４５とねじ５４６，５４６とで、押さえ部５４の垂下長さ（高さ）を調整する長さ調整部を構成している。
【００３３】
また、本体金具５１は、固定部５３の幅方向の両側に、一対のフランジ５３１ａ，５３１ｂとは反対方向（水上方向）に突出する一対の突出片５５，５５を有している。この一対の突出片５５，５５の上面に、後述の補助金具５２の第１係合片５２１が係合される。また、この一対の突出片５５，５５には、それぞれ固定部材としてのドリルねじ５６（図１０参照）をねじ込むねじ穴５５１，５５１が設けられている。
【００３４】
また、補助金具５２は、本体金具５１の方向（水下方向）に突出し、本体金具５１の一対の突出片５５，５５に載置して係合する平板状の第１係合片５２１と、水上側の太陽電池モジュール１の屋根フレーム２の下面に沿うように、水上方向に延在する平板状の第２係合片５２２とを有している。第１係合片５２１と第２係合片５２２は、これらと略垂直な連結部５２３によって連結されており、補助金具５２は、側面視が略クランク状を呈している。第２係合片５２２の長手方向の長さは、間隙Ｄよりも短くすることで、間隙Ｄへの挿入を容易としている。
【００３５】
この補助金具５２の第２係合片５２２を、水上側の太陽電池モジュール１のパネルフレーム１２の下面に当接させると、連結部５２３がパネルフレーム１２の側面に当接される。この第２係合片５２２と連結部５２３の屋根フレーム２との当接側の表面には、補助金具５２をパネルフレーム１２に接着するための接着部５２５が設けられている。この接着部５２５の表面は離型紙５２６で被覆されている。この場合も、接着部５２５と離型紙５２６とからなる接着部材は、両面テープや接着剤の塗布などによって形成することができる。
【００３６】
また、第１係合片５２１には、幅方向の両側であって本体金具５１の一対の突出片５５，５５に設けたねじ穴５５１，５５１と同じ位置に、ねじ穴５２４，５２４が設けられている。一対の突出片５５，５５のねじ穴５５１，５５１と第１係合片５２１のねじ穴５２４，５２４とにドリルねじ５６をねじ込むことで、本体金具５１と補助金具５２とを接続固定することができる。
【００３７】
また、第１係合片５２１の幅方向の中央を凹設して、本体金具５１の連結部５２３を収容して係合可能な凹部５２７を設けている。この凹部５２７と連結部５２３を係合することで、一対の突出片５５，５５と第１係合片５２１の係合やねじ穴５５１，５５１とねじ穴５２４，５２４との位置合わせを容易に行うことができる。また、第１係合片本体金具５１と補助金具５２の相対的な横ずれを抑制して、接続安定性を向上させることができる。
【００３８】
本実施の形態では、上記のような構成の本体金具５１と、補助金具５２とを、それぞれ一枚の平らな金属板などを型抜きし、Ｒ曲げ加工することによって製作している。このＲ曲げ加工によって、本体金具５１の一対のフランジ５３１ａ，５３１ｂと連結部５２３との境目の角部Ｒ１１，Ｒ１２、フランジ５３１と支持部５４１との境目の角部Ｒ１３、支持部５４１と当接部５４２との境目の角部Ｒ１４は、丸みを帯びたＲ形状となっている。また、補助金具５１の第１係合片５２１及び第２係合片５２２と連結部５２３との境目の角部Ｒ２１，Ｒ２２も、丸みを帯びたＲ形状となっている。そのため、太陽電池モジュール１の間隙Ｄに本体金具５１や補助金具５２を挿入して取り付ける際に、各角部Ｒ１１−Ｒ１４，Ｒ２１，Ｒ２２が接触しても、太陽電池モジュール１や屋根ふき材４の表面などが傷つくのを防止することができる。なお、本体金具５１と、補助金具５２の制作方法が本実施の形態に限定されるものではなく、複数の部品を溶接などで接続してこれらを製作することもできる。
【００３９】
次に、上述のような構成の本実施の形態の不陸調整金具５を用いた屋根ふき材４の不陸調整方法（不陸調整手順）の一例を、図６−図１１の工程の説明図を用いて説明する。
【００４０】
まず、図６、図７に示すように、不陸調整金具５の本体金具５１から離型紙５３４を剥離して、本体金具５１を長手方向で隣接する太陽電池モジュール１の間隙Ｄに挿入し、当接部５４２で屋根ふき材４の不陸部分を押し下げる。この押し下げを容易とするため、例えば、次のような手順で作業を行う。まず、本体金具５１を、間隙Ｄに水下側から水上側に向けて斜めに挿入すると、不陸を生じて高くなった屋根ふき材４の表面に、当接部５４２と支持部５４１との境目の角部Ｒ１４が突き当たる。この角部Ｒ１４で屋根ふき材４を押し下げつつ、固定部５３を太陽電池モジュール１の一端部１７に固定する。このとき、接着部５３３にてフランジ５３１ａ，５３１ｂと連結部５３２がパネルフレーム１２に接着されるように固定部５３をパネルフレーム１２に押し付ける。
【００４１】
次いで、固定部５３を支点として、押さえ部５４を水下側へ回転移動させる。これにより、角部Ｒ１４又は当接部５４２が屋根ふき材４の表面を接触しながら移動して、屋根ふき材４をさらに押し下げる。最終的に、押さえ部５４が略垂直に立ち上がった状態で、水下側の太陽電池モジュール１と屋根ふき材４の間に配置される（図８、図９参照）。
【００４２】
本実施の形態の当接部５４２が平面であり、角部Ｒ１４がＲ形状であることで、屋根ふき材４の表面と接触しながら角部Ｒ１４や当接部５４２が移動しても、屋根ふき材４が傷つくのを抑制することができる。また、太陽電池モジュール１に固定する固定部５３の一対のフランジ５３１ａ，５３１ｂと反対方向であって、支持部５４１に対して略直角に当接部５４２を延在させているため、このような斜めの挿入や当接部５４２を屋根ふき材４に沿って移動（回転）させながらの押し下げを容易に行うことができる。また、本体金具５１を金属板で製作していることで、その弾性力と剛性とで、太陽電池モジュール１と屋根ふき材４との間で適度に弾性変形しながら回転移動が可能となるとともに、塑性変形も抑制される。
【００４３】
また、太陽電池モジュール１の配線１４がある場合は、本体金具５１と屋根フレーム２などで配線１４を挟まないように、配線１４を配線収容溝５４３に収容する。また、固定バンド挿入穴５４４に挿入した固定バンドを配線１４に巻いて固定することで、配線１４の配線収容溝５４３からの脱落などを抑制することができる。
【００４４】
以上により、本体金具５１の押さえ部５４で屋根ふき材４の不陸部分を押し下げて、不陸を調整することができる。このように本体金具５１だけでも不陸を調整することができるが、この不陸調整機能をさらに向上させるため、本実施の形態では、水上側の太陽電池モジュール１に補助金具５２を取り付け、この補助金具５２で本体金具５１による不陸調整をサポートしている。
【００４５】
そのため、図８、図９に示すように、補助金具５２から離型紙５２６を剥離して、本体金具５１の横から補助金具５２を間隙Ｄに挿入する。次いで図８に矢印で示したように本体金具５１の方向に補助金具５２をスライドさせた後、図１０、図１１に示すように、補助金具５２の一対の突出片５５，５５の上面に、補助金具５２の第１係合片５２１を載置する。このとき、凹部５２７を固定部５３に係合することで、突出片５５，５５のねじ穴５５１，５５１と、第１係合片５２１のねじ穴５２４，５２４とを容易に一致させることができる。また、第２係合片５２２を、水上側の太陽電池モジュール１のパネルフレーム１２の下面に係合し、接着部５２５にて連結部５２３と第２係合片５２２がパネルフレーム１２に接着されるように、連結部５２３と第２係合片５２２とをパネルフレーム１２に押し付ける。
【００４６】
そして、突出片５５，５５のねじ穴５５１，５５１と、第１係合片５２１のねじ穴５２４，５２４に、それぞれドリルねじ５６，５６をねじ込むことで、本体金具５１と補助金具５２とを接続固定する。これにより、屋根ふき材４からの反力が、本体金具５１を取り付けた水下側の太陽電池モジュール１だけでなく、突出片５５，５５を介して、補助金具５２の第１係合片５２１，５２１を押し上げる方向に作用する。この力が、第２係合片５２２を介して水上側の太陽電池モジュール１に作用する。したがって、屋根ふき材４からの反力を、水下側の太陽電池モジュール１と水上側の太陽電池モジュール１で分散させることができる。
【００４７】
なお、不陸調整金具５は、太陽電池モジュール１の一か所のみに取り付けてもよいが、図３に仮想線で示したように、太陽電池モジュール１の幅方向の両端近傍と中央近傍の少なくとも３か所に取り付けることがより望ましい。これにより、屋根ふき材４の不陸の調整効果をより高めることができる。また、不陸の状態や太陽電池モジュール１の幅方向の寸法によっては、４カ所以上に取り付けることもできる。
【００４８】
次に、図１２に基づいて、本実施の形態の不陸調整金具５の異なる使用例を説明する。図１２は、長さ調整部により、押さえ部の垂下長さ（高さ）を調整した状態の屋根パネル１０の断面図である。この図１２に示すように、本体金具５１の当接部５４２に設けた一対のねじ穴５４５，５４５に、ねじ５４６，５４６を予め取り付けておく。このねじ５４６，５４６の頭部の天面までの長さ（高さ）が、押さえ部５４の垂下長さ（高さ）となる。
【００４９】
そして、上記で図８−図１１を用いて説明した工程と同様にして、水下側の太陽電池モジュール１に本体金具５１を取り付け、水上側の太陽電池モジュール１の他端部１８に補助金具５２を取り付けて、本体金具５１と補助金具５２とを接続固定する。これにより、図１２に示すように、本体金具５１の当接部５４２が、ねじ５４６，５４６の頭部を介して、屋根ふき材４の不陸部分を押し下げることで、不陸を調整することができる。
【００５０】
さらに、この使用例では、不陸調整金具５の取り付け後に、間隙Ｄからドライバなどを挿入して、屋根ふき材４を押し下げ、発音があるか否かを確認する。この音とは、屋根ふき材４の不陸部分の押し下げが十分ではない場合、ドライバでの押し下げによって屋根ふき材４が上下に移動し、下地に当たることで発生する音である。
【００５１】
このような発音がある場合、ねじ５４６，５４６を緩め、当接部５４２からの頭部の突出長さを長くして、押さえ部５４全体の垂下長さ（高さ）が長くなるように調整する。この長さ調整により、押さえ部５４によって、より下方へ不陸部分を押し下げることができる。そして、発音が生じなくなるまで長さ調整を行うことで、不陸を確実に調整することができる。
【００５２】
次に、本実施の形態の不陸調整金具５、及びこの不陸調整金具５を取り付けた屋根パネル１０、並びにこの屋根パネル１０を設置して構築される屋根構造の作用について説明する。
【００５３】
本実施の形態の屋根パネル１０は、防水性能を有する屋根ふき材４に対して太陽電池モジュール１が離隔して配置されている。そのため、屋根ふき材４の上面と太陽電池モジュール１の下面との間に、雨水などを流下させることが可能な間隙Ｓが存在している。さらに、屋根ふき材４の上面には、屋根フレーム２の長手方向に向けて雨水を流下させる水勾配が形成されている。
【００５４】
このため、屋根が陸屋根のように平坦であっても、高い防水性能と排水性能を備えた屋根構造を、屋根パネル１０，・・・を並べて固定するだけで容易に構築することができる。
【００５５】
また、経時によって屋根ふき材４に不陸を生じた場合、排水性能への影響を回避すべく、本実施の形態の不陸調整金具５を太陽電池モジュール１に取り付けることで、不陸を調整することができる。すなわち、隣接する太陽電池モジュール１の間隙Ｄなどから本体金具５１を挿入し、押さえ部５４の当接部５４２で屋根ふき材４の不陸部分を押し下げながら、一対のフランジ５３１ａ，５３１ｂに太陽電池モジュール１の一端部１７を挿入して、この一端部１７に固定部５３を固定するだけで、不陸を調整することができる。したがって、太陽電池モジュール１を取り外さなくても、屋根ふき材４の不陸の調整を容易に行うことができる。
【００５６】
太陽電池モジュール１は、上下に移動不能に屋根フレーム２に固定されているため、太陽電池モジュール１の反力を利用して、不陸部分を確実に押し下げることができるとともに、この押し下げを長期に保つことができる。また、このように不陸が調整されることで、屋根パネル１０及び屋根構造の優れた排水性などを長期に持続させることができる。
【００５７】
また、本実施の形態では、固定部５３の一対のフランジ５３１ａ，５３１ｂの延在方向と、当接部５４２の延在方向とが反対であることで、本体金具５１によって屋根ふき材４をより安定して押し下げることができる。そのため、不陸の調整機能を向上させることができる。また、地震などによって太陽電池モジュール１に水上側又は水下側への移動力が作用しても、反対方向に延在する一対のフランジ５３１ａ，５３１ｂと当接部５４２の支持力により、太陽電池モジュール１からの本体金具５１の脱落や緩みを防止することができ、不陸の調整機能を持続させることができる。
【００５８】
また、本実施の形態では、本体金具５１に、押さえ部５４の垂下長さ（高さ）を調整する長さ調整部としてのねじ穴５２４とねじ５４６を有しているため、不陸の状態に応じて、押さえ部５４の垂下長さを調整することができる。したがって、屋根ふき材４と太陽電池モジュール１との間の距離や、押さえ部５４の長さに多少の寸法誤差などがあったとしても押さえ部５４の垂下長さを調整することで、寸法誤差などを吸収することができ、優れた不陸の調整機能を得ることができる。
【００５９】
また、本実施の形態では、本体金具５１が太陽電池モジュール１の配線１４を収容する配線収容部としての配線収容溝５４３を有している。そのため、配線１４が本体金具５１と屋根フレーム２との間などに挟まれるのを抑制し、断線などを防止することができる。また、配線収容溝５４３によって配線１４を間隙Ｓ内に浮かした状態で配置することができ、雨水などが流れる屋根ふき材４上面に配線１４が配設されるのを抑制することができる。その結果、配線１４を雨水などから保護することができるとともに、太陽電池モジュール１自体に配線１４の保持部材を設ける必要がなく、太陽電池モジュール１などの簡素化が可能となる。
【００６０】
また、本実施の形態では、水上側の太陽電池モジュールの他端部１８に補助金具５２を取り付け、本体金具５１の一対の突出片５５，５５に補助金具５２の第１係合片５２１を係合している。また、補助金具５２の第２係合片５２２を、太陽電池モジュール１の他端部１８の下面に係合している。
【００６１】
これにより、屋根ふき材４からの反力を、水下側の太陽電池モジュール１と水上側の太陽電池モジュール１で分散して受けることができ、各太陽電池モジュール１への負荷を低減するとともに、不陸の調整機能をより向上させることができる。
【００６２】
さらに、本実施の形態では、本体金具５１の一対の突出片５５，５５と補助金具５２の第１係合片５２１とを固定部材としてのドリルねじ５６で接続固定している。これにより、本体金具５１と補助金具５２との係合性を向上させて、不陸調整金具５の支持安定性や耐久性などが向上し、負荷の低減や不陸の調整機能をより向上させることができる。
【００６３】
以上、図面を参照して、本発明の実施の形態を詳述してきたが、具体的な構成は、この実施の形態に限らず、本発明の要旨を逸脱しない程度の設計的変更は、本発明に含まれる。
【００６４】
例えば、不陸調整金具５を、本体金具５１のみで構成することもでき、この場合でも上述したように優れた不陸の調整機能を発揮することができる。またこの場合、補助金具５２の第１係合片５２１を係合する突出片５５を設ける必要がなく、本体金具５１をより単純な構成でより簡易に製作することができるとともに、部品点数を低減することができる。また、屋根パネル１０の端部などに設置されて隣接する太陽電池モジュール１がない太陽電池モジュール１に取り付けるのに好適である。
【００６５】
また、上記実施の形態では、本体金具５１と補助金具５２とを別体で形成しているが、この構成に限定されることもない。隣接する太陽電池モジュール１の間隙Ｄに挿入して両太陽電池モジュール１に取り付け可能であれば、本体金具５１と補助金具５２とを一体に形成することもできる。これにより、部品点数を低減できるとともに、本体金具５１と補助金具５２の係合工程を省略することができる。
【００６６】
また、上記実施の形態では、太陽電池モジュール１を屋根フレーム２に対して傾斜させて取り付けているが、太陽電池モジュール１の配置方向がこれに限定されることはない。太陽電池モジュール１を屋根ふき材４に対して平行に取り付けて、隣接する太陽電池モジュール１の一端部１７と他端部１８とを略同じ高さにすることもできる。なお、太陽電池モジュール１を屋根フレーム２に対して平行に取り付ける場合は、受け金具１５ａ，１５ｂの長さ（高さ）を同じにする。
【００６７】
この場合、補助金具５２の第１係合片５２１が係合できるように、本体金具５１の突出片５５，５５の高さ（位置）を、上方に設けて本体金具５１を構成する。または、突出片５５，５５を設けずに、上方のフランジ５３１ａに第１係合片５２１を係合する構成とすることもできる。または、本体金具５１のみを太陽電池モジュール１に取り付ける構成とすることもできる。
【００６８】
また、上記実施の形態では、本体金具５１に、配線収容部として円弧状の配線収容溝５４３が凹設されているが、円弧状に限定されることはなく、三角形、四角形、五角形などの多角形状とすることもできる。また、配線収容部が溝に限定されることもない。配線を避けて本体金具５１を太陽電池モジュール１に取り付け可能であればよく、例えば、支持部５４１の形成幅を、当接部５４２や固定部５３の形成幅よりも狭く形成し、押さえ部５４を平面視逆Ｔ字型又はＬ字型とし、固定部５３と当接部５４２との間に配線を配置可能な空間を設け、この空間を配線収容部とすることもできる。
【符号の説明】
【００６９】
１        太陽電池モジュール
４        屋根ふき材
５        不陸調整金具
１０      屋根パネル（屋根）
１４      配線
１７      一端部
１８      他端部
５１      本体金具
５２      補助金具
５３      固定部
５４      押さえ部
５５      突出片
５６      ドリルねじ（固定部材）
５２１    第１係合片
５２２    第２係合片
５３１ａ    フランジ
５３１ｂ    フランジ
５４１    支持部
５４２    当接部
５４３    配線収容溝（配線収容部）
５４５    ねじ穴（長さ調整部）
５４６    ねじ（長さ調整部）
Ｄ        間隙
【図１】
2018025013.tif 000003
【図２】
2018025013.tif 000004
【図３】
2018025013.tif 000005
【図４】
2018025013.tif 000006
【図５】
2018025013.tif 000007
【図６】
2018025013.tif 000008
【図７】
2018025013.tif 000009
【図８】
2018025013.tif 000010
【図９】
2018025013.tif 000011
【図１０】
2018025013.tif 000012
【図１１】
2018025013.tif 000013
【図１２】
2018025013.tif 000014